(57)【特許請求の範囲】
【請求項１】
屋根材の表面に張設される表層部材が、上記屋根材の表面に接着剤により取り付けられる不燃性の無機質系独立発泡体としての主層と、同主層の上面に接着剤により一体状に層着されたガラス繊維層と、同ガラス繊維層の上面に浸透して層着されたフッ素樹脂層とにより構成されて、上記屋根材の縁部では、上記のガラス繊維層とフッ素樹脂層とが、上記主層よりも突出し下方へ折り曲げられて１８０度の反転により重複層として形成されており、上記の主層とガラス繊維層との間に接着剤を介し挿入された形状保持用硬質板が設けられて、同硬質板が上記屋根材の縁部で下方へ屈曲して上記重複層の内部にまで延在するように配設されていることを特徴とする、屋根上氷層生成防止構造。
【請求項２】
請求項１に記載の屋根上氷層生成防止構造において、上記の主層とガラス繊維層との間にプラスチック材からなる防水層が介装されていることを特徴とする、屋根上氷層生成防止構造。
【発明の詳細な説明】
【０００１】
【発明の属する技術分野】
本発明は、主として寒冷地で用いられる屋根上氷層生成防止構造に関する。
【０００２】
【従来の技術】
従来の家屋の屋根構造では、図６に示すように、屋根材１として焼付塗装を施された鉄板やスレートなどが用いられた場合、冬季の降雪時には、屋根材１の表面に積もった雪が、屋内の暖気により同屋根材１の下面側から熱を受けて一旦融けた後、夜間などに凍結する現象が起きている。そして、更に雪が積もったり凍結したりする現象の繰返しにより、図７に示すように、厚みを増した氷層２が生じて屋根の縁部から垂れ下がるとともに内方へ弯曲して、その氷層垂下先端部２ａにより、遂には窓ガラス３を破壊するに至った事例が生じており、また厚い氷層が屋根の縁部で折れて落下する際には危険を招く恐れがある。
【０００３】
【発明が解決しようとする課題】
そこで本発明は、冬季において屋根上に氷層が形成されるのを防止するため、屋根上に積もる雪の滑落を助長できるようにしたり、雪が融けて再凍結するのを妨げるようにしたりする屋根材表面の表層部材について工夫を施した、屋根上氷層生成防止構造を提供することを課題とする。
【０００４】
【課題を解決するための手段】
前述の課題を解決するため、本発明の屋根上氷層生成防止構造は、屋根材の表面に張設される表層部材が、上記屋根材の表面に接着剤により取り付けられる不燃性の無機質系独立発泡体としての主層と、同主層の上面に接着剤により一体状に層着されたガラス繊維層と、同ガラス繊維層の上面に浸透して層着されたフッ素樹脂層とにより構成されて、上記屋根材の縁部では、上記のガラス繊維層とフッ素樹脂層とが、上記主層よりも突出し下方へ折り曲げられて１８０度の反転により重複層として形成されており、上記の主層とガラス繊維層との間に接着剤を介し挿入された形状保持用硬質板が設けられて、同硬質板が上記屋根材の縁部で下方へ屈曲して上記重複層の内部にまで延在するように配設されていることを特徴としている。
【０００５】
また本発明の屋根上氷層生成防止構造は、上記の主層とガラス繊維層との間にプラスチック材からなる防水層が介装されていることを特徴としている。
【０００６】
上述の本発明の屋根上氷層生成防止構造では、屋根材の表面に張設される表層部材の主層が、不燃性の無機質系独立発泡体で形成されるので、十分な耐火性を保持するとともに、屋根材上への接着により同屋根材との間における水分の浸透を防ぎ、また上記主層の上面に沿うガラス繊維層も、不燃性で、しかも上記主層に対し接着剤により取り付けられるので、同ガラス繊維層への水分の浸透が十分に防止される。
【０００７】
そして、上記ガラス繊維層の上面には滑りやすいフッ素樹脂層が浸透層着されるので、その表面に雪が或る程度降り積もると、その滑落を生じて、厚い雪の層を生成することはない。
【０００８】
また、上記独立発泡体としての主層および上記ガラス繊維層の断熱性により、家屋内からの暖気の上昇伝達が阻止されて、上記フッ素樹脂層の表面での積雪の融解が十分に防止されるので、その結氷による氷層生成が十分に防止される。
【０００９】
さらに、上記のガラス繊維層とフッ素樹脂層とが、上記屋根材の縁部では上記主層よりも突出し下方へ折り曲げられて１８０度の反転により重複層として形成されているので、この重複層の表面温度と裏面温度との温度差を生じることがなく、したがってこの重複層の上面での雪の融解に伴う再結氷を起こすこともなく、上記積雪の落下が常に円滑に行われるようになる。
【００１０】
また、上記の主層とガラス繊維層との間にプラスチック材からなる防水層が介装されている場合は、上記屋根材の上面では上記ガラス繊維層への浸水が十分に防止されるほか、上記屋根材の縁部で上記主層から突出した重複層では上記プラスチック材からなる防水層どうしが直接重合して、その接着剤による接合が能率よく行われるようになる。
【００１１】
さらに、上記の主層とガラス繊維層との間に接着剤を介し挿入された形状保持用硬質板が設けられて、同硬質板が上記屋根材の縁部で下方へ屈曲して上記重複層の内部にまで延在している場合は、上記重複層も上記屋根材の縁部で下方へ屈曲した形状を保たれるので、屋根材上の上記表層部材に沿う積雪の滑落時に、上記屋根材の縁部で若干の氷結層などによる阻害要因が生じていても、上記の下方へ屈曲した重複層の形状により上記積雪の滑落に全く支障をきたすことがなく、これにより屋根上氷層の生成が十分に防止されるようになる。
【００１２】
【発明の実施の形態】
以下、図面により本発明の一実施形態としての屋根上氷層生成防止構造について説明すると、図１はその要部横断面図、図２は図１のＡ部の拡大断面図、図３は図２のＢ部の拡大断面図、図４は図２のＣ部の拡大断面図であり、図５は図３に対応させて上記屋根上氷層生成防止構造の変形例を示す断面図である。
【００１３】
図１に示すように、本実施形態の屋根上氷層生成防止構造は、傾斜した屋根材１の表面に表層部材10を張設されるようにして構成されている。
そして、表層部材10は、本実施形態では図３および図４に示すごとく、屋根材の表面に接着剤により取り付けられる不燃性の無機質系独立発泡体（例えば商標名「タルボセル」）としての主層13（５〜１０ｍｍ厚、好ましくは７ｍｍ厚程度）と、同主層13の上面に接着剤により一体形状に層着されたガラス繊維層11と、同ガラス繊維層11の上面に浸透して層着されたフッ素樹脂層12とにより構成されている。
【００１４】
そして、図２〜４に示すごとく、屋根材１の縁部では、ガラス繊維層11とフッ素樹脂層12とが、主層13よりも突出して下方へ折り曲げられて１８０度の反転により重複層Ｅとして形成されている。
【００１５】
また本実施形態では、図２〜４に示すように、主層13とガラス繊維層11との間に接着剤を介し挿入された形状保持用硬質板（ステンレス鋼またはプラスチック材からなる硬質板）14が設けられており、同硬質板14は屋根材１の縁部で下方へ角度α（１０〜２５度）だけ屈曲して、重複層Ｅの内部にまで延在するように配設されている。
【００１６】
なお、重複層Ｅを形成するように折り曲げられたガラス繊維層11とフッ素樹脂層12との先端部は、図２に示すごとく、主層13の先端面を覆い屋根材１の先端面まで延在するように配設されて、接着剤により接着されている。
【００１７】
また、表層部材10の構成として、図５に示すごとく、表面をフッ素樹脂12で覆われたガラス繊維層11と無機質系独立発泡体としての主層13との間に、プラスチック材からなる防水層15を介装させるようにしてもよい。
【００１８】
上述の本実施形態の屋根上氷層生成防止構造では、屋根材１の表面に張設される表層部材10の主層13が、不燃性の無機質系独立発泡体で形成されるので、十分な耐火性を保持するとともに、屋根材１上への接着により同屋根材１との間における水分の浸透を防ぎ、また上記主層13の上面に沿うガラス繊維層11も、不燃性で、しかも主層13に対し接着剤により取り付けられるので、同ガラス繊維層11への水分の浸透が十分に防止される。
【００１９】
そして、ガラス繊維層11の上面には滑りやすいフッ素樹脂層12が浸透層着されるので、その表面に雪が或る程度降り積もると、その滑落を生じて、屋根上に厚い雪の層を生成することはない。
【００２０】
また、独立発泡体としての主層13およびガラス繊維層11の断熱性により、家屋内からの暖気の上昇伝達が阻止されて、フッ素樹脂層12の表面での積雪の融解が十分に防止されるので、その結氷による氷層生成が十分に防止される。
【００２１】
さらに、ガラス繊維層11とフッ素樹脂層12とが、屋根材１の縁部では主層13よりも突出し下方へ折り曲げられて１８０度の反転により重複層Ｅとして形成されているので、この重複層Ｅの表面温度と裏面温度との温度差を生じることがなく、したがってこの重複層Ｅの上面での雪の融解に伴う再結氷を起こすこともなく、上記積雪の落下が常に円滑に行われるようになる。
【００２２】
また、主層13とガラス繊維層11との間にプラスチック材からなる防水層14が介装されている場合は、屋根材１の上面ではガラス繊維層11への浸水が十分に防止されるほか、屋根材１の縁部で主層13から突出した重複層Ｅではプラスチック材からなる防水層14どうしが直接重合して、その接着剤による接合が能率よく行われるようになる。
【００２３】
さらに、主層13とガラス繊維層11との間に接着剤５を介し挿入された形状保持用硬質板14が設けられて、同硬質板14が屋根材１の縁部で下方へ屈曲して重複層Ｅの内部にまで延在している場合は、重複層Ｅも屋根材１の縁部で下方へ屈曲した形状を保たれるようになり、これにより屋根材１上の表層部材10に沿う積雪の滑落時に、屋根材１の縁部で若干の氷結層などによる阻害要因が生じていても、上記の下方へ屈曲した重複層Ｅの形状により上記積雪の滑落に全く支障をきたすことがなく、屋根上氷層の生成が十分に防止されるようになる。
【００２４】
このようにして、本発明の屋根上氷層生成防止構造では、従来、寒冷地で冬季に屋根上に生成されていた危険な氷層を未然に排除することが可能となり、窓ガラスの破壊防止や通行人の安全確保に寄与することができる。
【００２５】
【発明の効果】
以上詳述したように、本発明の屋根上氷層生成防止構造によれば次のような効果が得られる。
(1) 屋根材の表面に張設される表層部材の主層が、不燃性の無機質系独立発泡体で形成されるので、十分な耐火性を保持するとともに、屋根材上への接着により同屋根材との間における水分の浸透を防ぎ、また上記主層の上面に沿うガラス繊維層も、不燃性で、しかも上記主層に対し接着剤により取り付けられるので、同ガラス繊維層への水分の浸透が十分に防止される。
(2) 上記ガラス繊維層の上面には滑りやすいフッ素樹脂層が浸透層着されるので、その表面に雪が或る程度降り積もると、その滑落を生じて、屋根上に厚い雪の層を生成することはない。
(3) 上記独立発泡体としての主層および上記ガラス繊維層の断熱性により、家屋内からの暖気の上昇伝達が阻止されて、上記フッ素樹脂層の表面での積雪の融解が十分に防止されるので、その結氷による氷層生成が十分に防止される。
(4) 上記のガラス繊維層とフッ素樹脂層とが、上記屋根材の縁部では上記主層よりも突出し下方へ折り曲げられて１８０度の反転により重複層として形成されているので、この重複層の表面温度と裏面温度との温度差を生じることがなく、したがってこの重複層の上面での雪の融解に伴う再結氷を起こすこともなく、上記積雪の落下が常に円滑に行われるようになる。
(5) 上記の主層とガラス繊維層との間にプラスチック材からなる防水層が介装されている場合は、上記屋根材の上面では上記ガラス繊維層への浸水が十分に防止されるほか、上記屋根材の縁部で上記主層から突出した重複層では上記プラスチック材からなる防水層どうしが直接重合して、その接着剤による接着が能率よく行われるようになる。
(6) 上記の主層とガラス繊維層との間に接着剤を介し挿入された形状保持用硬質板が設けられ、同硬質板が上記屋根材の縁部で下方へ屈曲し上記重複層の内部にまで延在して、上記重複層も上記屋根材の縁部で下方へ屈曲した形状に保たれるので、屋根材上の上記表層部材に沿う積雪の滑落時に、上記屋根材の縁部で若干の氷結層などによる阻害要因が生じていても、上記の下方へ屈曲した重複層の形状により上記積雪の滑落に全く支障をきたすことがなく、これにより屋根上氷層の生成が十分に防止されるようになる。
(7) 上記各項により、従来、寒冷地で冬季に屋根上に生成されていた危険な氷層を未然に排除することが可能となり、窓ガラスの破壊防止や通行人の安全確保に寄与することができる。
【図面の簡単な説明】
【図１】  本発明の一実施形態としての屋根上氷層生成防止構造の要部横断面図である。
【図２】  図１のＡ部の拡大断面図である。
【図３】  図２のＢ部の拡大断面図である。
【図４】  図２のＣ部の拡大断面図である。
【図５】  図３に対応させて上記屋根上氷層生成防止構造の変形例を示す断面図である。
【図６】  一般的な屋根構造を示す斜視図である。
【図７】  図６のＤ部の縦断面図である。
【符号の説明】
１  屋根材
２  氷層
２ａ  氷層垂下先端部
３  窓ガラス
10  表層部材
11  ガラス繊維層
12  フッ素樹脂層
13  主層
14  形状保持用硬質板
15  防水層
Ｅ  重複層
【図１】
0003942940.tif 000002
【図２】
0003942940.tif 000003
【図３】
0003942940.tif 000004
【図４】
0003942940.tif 000005
【図５】
0003942940.tif 000006
【図６】
0003942940.tif 000007
【図７】
0003942940.tif 000008